(57)【要約】【課題】ＦＰＣの配線を接続端子ユニットとして使用することによって、構造が簡素でコストが低く、小型化することができ、ピッチの変更、接触部の変更及びクロス配線を容易に行うことができ、接触部における電気的接触を確実にし、信頼性を向上させることができるようにする。【解決手段】端子部材を備えるカードを収容するケース部材１１と、前記カードの端子部材と接触する内側接触部２６及び外部の端子部材と接触する外側接触部２５を備え、前記ケース部材１１に装填（てん）される接続端子ユニットと、前記内側接触部２６を前記カードの端子部材に向けて付勢するばね部材とを有し、前記接続端子ユニットは柔軟性のある回路基板から成り、前記内側接触部２６の配置形態と外側接触部２５の配置形態とが相違する。【選択図】図１
2006147209.tif 000002
【特許請求の範囲】
【請求項１】
（ａ）端子部材を備えるカードを収容するケース部材と、
（ｂ）前記カードの端子部材と接触する内側接触部及び外部の端子部材と接触する外側接触部を備え、前記ケース部材に装填される接続端子ユニットと、
（ｃ）前記内側接触部を前記カードの端子部材に向けて付勢するばね部材とを有し、
（ｄ）前記接続端子ユニットは柔軟性のある回路基板から成り、前記内側接触部の配置形態と外側接触部の配置形態とが相違することを特徴とするカード用アダプタ。
【請求項２】
前記内側接触部は相互に独立した複数の島部に各々形成され、前記ばね部材は相互に独立した複数の腕部を備え、該腕部の各々が前記島部の各々における内側接触部と反対側に当接する請求項１に記載のカード用アダプタ。
【請求項３】
前記内側接触部及び外側接触部は、前記回路基板内に形成された導電性トレースの一部を絶縁性被覆の外面に露出させたものである請求項１又は２に記載のカード用アダプタ。
【請求項４】
前記配置形態は、前記内側接触部及び外側接触部の数、大きさ、ピッチ、配置又は極性である請求項１〜３のいずれか１項に記載のカード用アダプタ。
【請求項５】
前記内側接触部と外側接触部とは前記回路基板内に形成された接続配線によって接続され、該接続配線がクロス配線されている請求項１〜４のいずれか１項に記載のカード用アダプタ。
【請求項６】
前記ケース部材は開口を備え、前記ばね部材は板状の基部を備え、該基部が前記開口に取付けられ、前記基部の少なくとも一部がケース部材の外側に露出している請求項１〜５のいずれか１項に記載のカード用アダプタ。
【発明の詳細な説明】
【技術分野】
【０００１】
本発明は、カード用アダプタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｆｙ  Ｍｏｄｕｌｅ）カード、ＭＭＣ（Ｍｕｌｔｉ  Ｍｅｄｉａ  Ｃａｒｄ）、ＳＤ（Ｓｅｃｕｒｅ  Ｄｉｇｉｔａｌ）カード、メモリスティック（Ｒ）、スマートメディア（Ｒ）等の各種カードをカード用アダプタを介して装着することができるようになっている（例えば、特許文献１参照。）。
【０００３】
この場合、前記カード用アダプタは、複数の接続端子を備え、該接続端子の一端が電子機器における配線基板等に形成されたコンタクトパッド等の端子部材に接続され、前記接続端子の他端がカード用アダプタに挿入されたカードの表面に露出しているコンタクトパッド等の端子部材に接触して、前記電子機器及びカードのそれぞれの相手側端子部材を電気的に接続するようになっている。
【特許文献１】特開２００２−２７０２６１号公報
【発明の開示】
【発明が解決しようとする課題】
【０００４】
しかしながら、前記従来のカード用アダプタは、金属製の板部材から形成された接続端子を使用しているので、構成が複雑となり、製造コストが高くなってしまう。また、前記電子機器の端子部材のピッチとカードの端子部材のピッチとが相違する場合には、接続端子の両端のピッチをそれぞれのピッチに適合させるように、いわゆる、ピッチ変換を行う必要がある。例えば、ＳＤカードをＴＦＲに接続するためのカード用アダプタの場合、ＳＤカードにおけるピッチ（１．３〔ｍｍ〕）をＴＦＲにおけるピッチ（１．１〔ｍｍ〕）に変換する必要がある。さらに、ＳＤカードとＴＦＲとでは極数も相違する。このような場合、カード用アダプタの狭いスペース内において、前記接続端子を使用してピッチ変換を行うことは極めて困難である。もっとも、前記接続端子を微細化することも考えられるが、小さな寸法の接続端子を製造することは困難であり、また、接続端子の強度が低下してしまう。
【０００５】
本発明は、前記従来のカード用アダプタの問題点を解決して、ＦＰＣ（フレキシブル回路基板：Ｆｌｅｘｉｂｌｅ  Ｐｒｉｎｔｅｄ  Ｃｉｒｃｕｉｔ）の配線を接続端子ユニットとして使用することによって、構造が簡素でコストが低く、小型化することができ、ピッチの変更、接触部の変更及びクロス配線を容易に行うことができ、接触部における電気的接触を確実にし、信頼性を向上させることができるカード用アダプタを提供することを目的とする。
【課題を解決するための手段】
【０００６】
そのために、本発明のカード用アダプタにおいては、端子部材を備えるカードを収容するケース部材と、前記カードの端子部材と接触する内側接触部及び外部の端子部材と接触する外側接触部を備え、前記ケース部材に装填（てん）される接続端子ユニットと、前記内側接触部を前記カードの端子部材に向けて付勢するばね部材とを有し、前記接続端子ユニットは柔軟性のある回路基板から成り、前記内側接触部の配置形態と外側接触部の配置形態とが相違する。
【０００７】
本発明の他のカード用アダプタにおいては、さらに、前記内側接触部は相互に独立した複数の島部に各々形成され、前記ばね部材は相互に独立した複数の腕部を備え、該腕部の各々が前記島部の各々における内側接触部と反対側に当接する。
【０００８】
本発明の更に他のカード用アダプタにおいては、さらに、前記内側接触部及び外側接触部は、前記回路基板内に形成された導電性トレースの一部を絶縁性被覆の外面に露出させたものである。
【０００９】
本発明の更に他のカード用アダプタにおいては、さらに、前記配置形態は、前記内側接触部及び外側接触部の数、大きさ、ピッチ、配置又は極性である。
【００１０】
本発明の更に他のカード用アダプタにおいては、さらに、前記内側接触部と外側接触部とは前記回路基板内に形成された接続配線によって接続され、該接続配線がクロス配線されている。
【００１１】
本発明の更に他のカード用アダプタにおいては、さらに、前記ケース部材は開口を備え、前記ばね部材は板状の基部を備え、該基部が前記開口に取付けられ、前記基部の少なくとも一部がケース部材の外側に露出している。
【発明の効果】
【００１２】
本発明によれば、カード用アダプタは、ＦＰＣの配線を接続端子として使用する。そのため、構造が簡素でコストが低く、小型化することができ、ピッチの変更、接触部の変更及びクロス配線を容易に行うことができ、接触部における電気的接触を確実にし、信頼性を向上させることができる。
【発明を実施するための最良の形態】
【００１３】
以下、本発明の実施の形態について図面を参照しながら詳細に説明する。
【００１４】
図２は本発明の第１の実施の形態におけるカード用アダプタを示す斜視図である。
【００１５】
図において、１０は本実施の形態におけるカード用アダプタであり、図示されない電子機器に取付けられる。そして、前記カード用アダプタ１０の内部には後述されるカード４５が装着され、前記カード用アダプタ１０を介して、前記電子機器とカード４５とが電気的に接続される。なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００１６】
また、カード４５は、例えば、ＳＩＭカード、ＭＭＣ、ＳＤカード、メモリスティック（Ｒ）、スマートメディア（Ｒ）等のＩＣカードであり、いかなる種類のカードであってもよいが、本実施の形態においては、ミニＳＤカードであるものとして説明する。また、本実施の形態において、カード用アダプタ１０の各部の構成及び動作を説明するために使用される上、下、左、右、前、後等の方向を示す表現は、絶対的なものでなく相対的なものであり、カード用アダプタ１０又はその部品が図に示される姿勢である場合に適切であるが、カード用アダプタ１０又はその部品の姿勢が変化した場合には姿勢の変化に応じて変更して解釈されるべきものである。
【００１７】
ここで、前記カード用アダプタ１０は、合成樹脂等の絶縁性の部材によって一体的に形成されたケース部材１１と、合成樹脂等の絶縁性の部材によって一体的に形成され、前記ケース部材１１の上側に取付けられた蓋（ふた）部材１２とを有する。前記カード用アダプタ１０は、概略、扁（へん）平な直方体形状を備え、前記電子機器に形成されたスロットに差し込んだ状態で、前記電子機器に取付けられるようになっている。そして、前記カード用アダプタ１０の前端（図における左下端）の上面には、複数の外側接触部２５が配設されている。該外側接触部２５は、前記電子機器における配線基板等に形成された信号線、コンタクトパッド、端子等、すなわち、相手側端子部材に接触して、電気的に接続される。この場合、前記外側接触部２５は、電子機器における端子部材との接続に関し、固定側接点として機能する。
【００１８】
次に、前記カード用アダプタ１０が有する部材について説明する。
【００１９】
図３は本発明の第１の実施の形態におけるカード用アダプタの本体部を示す斜視図、図４は本発明の第１の実施の形態におけるカード用アダプタの蓋部材を示す斜視図、図５は本発明の第１の実施の形態におけるカード用アダプタの接続端子ユニットを示す斜視図、図６は本発明の第１の実施の形態におけるカード用アダプタの接続端子ユニットの構成を説明する概念図、図７は本発明の第１の実施の形態におけるカード用アダプタの加圧用ばね部材を示す斜視図、図８は本発明の第１の実施の形態におけるカード用アダプタのカードロック用ばね部材を示す斜視図である。
【００２０】
図３に示されるように、ケース部材１１は底板１８及び棚板１７を有し、前記底板１８の上面には周囲を棚板１７及び側壁１９で取囲まれたカード収容空間１４が形成されている。そして、前記ケース部材１１の後端（図３における左下端）には横方向に延在するスロット状のカード挿入口１３が形成され、該カード挿入口１３からカード４５が挿入されて前記カード収容空間１４内に収容される。また、該カード収容空間１４の側方には、後述されるカードロック用ばね部材４１が収容されるロック用ばね収容空間１６及びロック用ばね収容スロット１６ａが形成されている。
【００２１】
そして、前記底板１８の上面と棚板１７の下面には、後述される加圧用ばね部材３０が挿入されるばね挿入空間１５が形成されている。該ばね挿入空間１５は、横方向に延在するスロット状であり、その上面は、棚板１７の下面に櫛（くし）歯状に形成された複数の挿入空間規定突出部１５ａの下面によって規定される。
【００２２】
また、前記ケース部材１１の上面は、図４に示されるように、概略長方形の形状を備える板状の蓋部材１２によって覆われる。これにより、前記カード収容空間１４の上面は、蓋部材１２によって規定される。また、該蓋部材１２は、棚板１７にほぼ対応する形状の切欠部１２ａを備えるので、前記蓋部材１２をケース部材１１の上側に取付けたとき、棚板１７のほぼ全面は蓋部材１２に覆われることなく、露出する。
【００２３】
本実施の形態においては、図５に示されるような回路基板状の接続端子ユニット２０が使用される。該接続端子ユニット２０は、ＦＰＣ等の柔軟性のある回路基板から形成され、外側接触部２５を備える外側本体部２１と、該外側本体部２１に接続され、カード収容空間１４内に配設される内側本体部２２とを有する。なお、前記回路基板は、合成樹脂等の柔軟性を備える絶縁性の部材から成り、その内部に導電性トレースから成る所望の回路パターンを形成することができ、必要に応じて導電性トレースの一部を露出させることができるものであれば、いかなる種類のものであってもよいが、本実施の形態においては、前記回路基板がＦＰＣから成るものとして説明する。
【００２４】
そして、前記内側本体部２２は、カード４５の表面に露出しているコンタクトパッド等の端子部材に接触して電気的に接続される内側接触部２６を備える。なお、該内側接触部２６は、外側接触部２５とは反対側の面、すなわち、図５における下側の面に配設されているので、図５には示されていない。そして、前記外側本体部２１と内側本体部２２との境界部分には、加圧用ばね部材３０の腕部３２が各々に挿通される複数のばね部材挿通孔（こう）２４が形成されている。また、前記内側本体部２２には、カード用アダプタ１０の前後方向、すなわち、カード４５の挿入方向（図５における斜め左下から斜め右上に向く方向）に延在する複数のスリット２３が形成されている。該スリット２３によって、内側本体部２２の主要部分は、横方向、すなわち、カード４５の挿入方向に直角な方向に複数の部分に分離され、複数の相互に独立した島部２３ａが形成される。なお、該島部２３ａの数及び位置は、前記ばね部材挿通孔２４の数及び位置に対応する。また、前記内側本体部２２の後端（図５における左下端）には、横方向に延在する連結部２２ａが形成され、前記島部２３ａの後端を連結する。なお、前記内側本体部２２の主要部分、すなわち、島部２３ａは、外側本体部２１よりも下側に膨出した形状を有する。
【００２５】
ここで、主として図６を参照しながら、外側接触部２５及び内側接触部２６の配置について説明する。前述のように、外側接触部２５及び内側接触部２６は、互いに接続端子ユニット２０の反対側の面に配設されているので、図示することができない。そのため、図６は、図５の下側から観た接続端子ユニット２０を示しているが、説明のために外側接触部２５を内側接触部２６と同じ側に描いたものである。
【００２６】
前述のように、接続端子ユニット２０はＦＰＣから成り、外側接触部２５及び内側接触部２６は、ＦＰＣの導電性トレースの一部を回路基板の絶縁性被覆の外面に露出させて形成されたものである。本実施の形態においては、外側接触部２５が１１個形成され、内側接触部２６が８個形成されている。ここで、前記外側接触部２５は、それぞれ、長方形の形状を有するように形成されているが、任意の形状に形成することができる。また、前記内側接触部２６は、島部２３ａの各々に１個ずつ形成され、それぞれが複数、図６に示される例においては２個に分割されている。なお、各内側接触部２６は、３個以上に分割することもできるし、複数に分割しなくてもよい。また、前記内側接触部２６は、それぞれ、細長い長方形の形状を有するように形成されているが、任意の形状に形成することができる。さらに、前記内側接触部２６の表面に必要に応じて接触用のバンプ、すなわち、突起を形成することもできる。
【００２７】
図６において、２７は外側接触部２５と内側接触部２６とを電気的に接続する接続配線である。該接続配線２７は、実際には、回路基板の内部に形成された導電性トレースの一部であるが、ここでは説明のために、回路基板上に示されている。また、前記接続配線２７は、実際には、より複雑な経路を通って外側接触部２５と内側接触部２６とを接続するものであるが、ここでは説明のために、直線で描かれている。この場合、外側接触部２５の数と内側接触部２６の数とが同一でないので、内側接触部２６と接続されない外側接触部２５が存在することが分かる。
【００２８】
なお、前記接続配線２７は、通常のＦＰＣの導電性トレースと同様に、エッチング等によって形成されるので、任意の経路を通過するように設定することができる。そのため、内側接触部２６の配置形態と外側接触部２５の配置形態とが相違する場合でも、接続することができる。ここで、配置形態とは、内側接触部２６及び外側接触部２５の数、大きさ、ピッチ、配置、極性等である。例えば、外側接触部２５の数と内側接触部２６の数とが同一でない場合でも、また、外側接触部２５のピッチと内側接触部２６のピッチとが同一でない場合でも、接続することができる。また、例えば、接続配線２７同士が交差するクロス配線を行うこともできる。この場合、回路基板内の複数の配線平面をビア（Ｖｉａ）で連結することによって、接続配線２７同士を相違する配線平面を通過させることによって、交差させることができる。これにより、右側に位置する外側接触部２５と左側に位置する内側接触部２６を接続するとともに、左側に位置する外側接触部２５と右側に位置する内側接触部２６を接続することができる。
【００２９】
図７に示されるように、ばね部材としての加圧用ばね部材３０は、概略長方形の形状を備える板状の基部３１と、該基部３１から延在する複数本の相互に独立した腕部３２とを有する。該腕部３２の先端は、接続端子ユニット２０の島部２３ａにおける内側接触部２６と反対側の面に当接するようになっている。そのため、前記腕部３２の数及びピッチは、前記島部２３ａの数及びピッチに対応する。また、図８に示されるように、カードロック用ばね部材４１は、金属製の細長い板状部材から形成され、カード４５をロックするための膨出部４１ａを有する。
【００３０】
次に、前記カード用アダプタ１０を組立てる方法について説明する。
【００３１】
図９は本発明の第１の実施の形態におけるカード用アダプタを組立てる方法を示す第１の図、図１０は本発明の第１の実施の形態におけるカード用アダプタを組立てる方法を示す第２の図、図１１は本発明の第１の実施の形態におけるカード用アダプタを組立てる方法を示す第３の図である。
【００３２】
まず、図９に示されるように、加圧用ばね部材３０を矢印Ａで示されるように移動させて、ケース部材１１に取付ける。この場合、基部３１をばね挿入空間１５に挿入し、腕部３２をカード収容空間１４内に突出させる。また、カードロック用ばね部材４１を矢印Ｂで示されるように移動させて、ケース部材１１に取付ける。この場合、カードロック用ばね部材４１の一端側をロック用ばね収容スロット１６ａに挿入し、膨出部４１ａをロック用ばね収容空間１６内に位置させる。
【００３３】
続いて、図１０に示されるように、加圧用ばね部材３０を矢印Ｃで示されるように接続端子ユニット２０に対して相対的に移動させ、各腕部３２が対応するばね部材挿通孔２４に挿通させる。そして、図１１に示されるように、接続端子ユニット２０をケース部材１１に接着することによって固定する。続いて、蓋部材１２を矢印Ｄで示されるように移動させ、ケース部材１１の上側に接着することによって固定する。これにより、図２に示されるようなカード用アダプタ１０が完成する。
【００３４】
次に、前記構成のカード用アダプタ１０における接続端子ユニット２０の動作について説明する。
【００３５】
図１は本発明の第１の実施の形態におけるカード用アダプタの要部斜視断面図、図１２は本発明の第１の実施の形態におけるカード用アダプタのカードを挿入していない状態を示す縦断面図、図１３は本発明の第１の実施の形態におけるカード用アダプタのカードを挿入した状態を示す縦断面図である。
【００３６】
本実施の形態において、カード用アダプタ１０は、図１２に示されるような断面構造を有する。なお、図１２は、カード４５を挿入していない状態におけるカード用アダプタ１０の前後方向に延在する断面を示す図であり、図１２における左方がカード用アダプタ１０の前方であり、図１２における右方がカード用アダプタ１０の後方である。図１２から、接続端子ユニット２０の内側本体部２２が、前記加圧用ばね部材３０の腕部３２によって、下向きに付勢されていることが分かる。この場合、図１に示されるように、前記腕部３２の各々が、内側本体部２２の各島部２３ａにおける内側接触部２６と反対側の面に当接して、下向きに押下げた状態となっている。
【００３７】
続いて、カード４５が、ケース部材１１の後端に形成されたカード挿入口１３から挿入され、カード収容空間１４内に収容されると、図１３に示されるようになる。すると、カード４５の前端上面に配設された図示されないコンタクトパッド等の端子部材によって、接続端子ユニット２０の内側本体部２２が上方に移動させられた状態になることが分かる。なお、カード４５の前端上面の端子部材は、横方向（図１３における図面に垂直な方向）に並んで配設され、その数及びピッチは、前記内側接触部２６の数及びピッチに対応する。
【００３８】
この場合、前記内側本体部２２の各島部２３ａが加圧用ばね部材３０の腕部３２によって下向きに付勢されているので、各島部２３ａにおける内側接触部２６は、カード４５の前端上面に配設された端子部材の各々に押付けられて接触している。そのため、内側接触部２６と相手側端子部材との電気的接続が確実に維持される。すなわち、前記内側接触部２６は、カード４５における端子部材との接続に関し、可動側接点として機能し、前記カード４５における端子部材は固定側接点として機能する。
【００３９】
また、各島部２３ａは、スリット２３によって隣接する島部２３ａから切離されているので、相互に独立して上下方向に移動することができる。さらに、加圧用ばね部材３０の各腕部３２も隣接する腕部３２から離れているので、相互に独立して上下方向に移動することができる。そのため、カード４５の端子部材の上面の高さが不均一であっても、すなわち、各相手側端子部材の上面の高さが相互に相違していても、島部２３ａに形成された内側接触部２６は、それぞれに独立して、対応する相手側端子部材の上面の高さに追従して上下方向に移動することができ、これにより、相手側端子部材と確実に接触を保ち、電気的接続を確実に維持することができる。なお、内側接触部２６の表面の位置が不均一である場合にも、同様にして、対応する相手側端子部材と確実に接触を保ち、電気的接続を確実に維持することができる。
【００４０】
さらに、それぞれの島部２３ａに形成された内側接触部２６が、図６に示される例のように複数に分割されている場合には、対応する相手側端子部材と複数の点で接触する多点接触を実現することができる。また、内側接触部２６の表面にバンプを形成した場合にも同様である。この場合、それぞれの島部２３ａが柔軟性のある回路基板から成るものであるため、島部２３ａが変形することによって、複数に分割され内側接触部２６の表面の位置の不均一、又は、バンプの高さの不均一を吸収し、多点接触を確実に保つことができる。
【００４１】
このように、本実施の形態においては、柔軟性のあるＦＰＣから形成され、電子機器の端子部材と接続される複数の外側接触部２５、及び、カード４５の端子部材と接続される複数の内側接触部２６を備える接続端子ユニット２０が使用されている。そのため、金属製の板部材から形成された多数の接続端子を使用する必要がなく、カード用アダプタ１０を容易に組立てることができる。また、該カード用アダプタ１０の構成を簡素化することができ、コストを低減することができる。さらに、接続端子ユニット２０は、構成が簡素で小型なので狭いスペースに配設することができるので、カード用アダプタ１０を小型化することができる。
【００４２】
また、前記外側接触部２５及び内側接触部２６がＦＰＣの導電性トレースの一部を露出させて形成されているので、前記外側接触部２５及び内側接触部２６の数、大きさ、ピッチ、配置等を任意に設定することができる。さらに、外側接触部２５と内側接触部２６とを接続する接続配線２７の経路も任意に設定することができるので、外側接触部２５と内側接触部２６との接続態様を任意に設定することができる。そのため、電子機器の端子部材の数、大きさ、ピッチ、配置、極性等が変更されても、また、カード４５の端子部材の数、大きさ、ピッチ、配置、極性等が変更されても、対応する接続端子ユニット２０を容易に製造することができ、多数種類の電子機器やカードに適応したカード用アダプタ１０を提供することができる。
【００４３】
さらに、可動側接点として機能する内側接触部２６は、相互に独立して移動することができる島部２３ａに形成され、相互に独立して移動することができる加圧用ばね部材３０の腕部３２によって、カード４５の端子部材に向けて付勢されている。そのため、内側接触部２６は、それぞれに独立して、対応する相手側端子部材の上面の高さに追従して上下方向に移動することができる。これにより、カード４５の端子部材の公差、ゴミ等の不純物の存在等の理由によってカード４５の端子部材の上面の高さが不均一であっても、内側接触部２６は相手側端子部材と確実に接触を保ち、電気的接続を確実に維持することができる。なお、内側接触部２６の表面の位置が不均一である場合も同様である。さらに、島部２３ａ自体が柔軟性を有するために、多点接触を確実に保つことができる。
【００４４】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００４５】
図１４は本発明の第２の実施の形態におけるカード用アダプタの要部斜視断面図である。
【００４６】
本実施の形態においては、加圧用ばね部材３０が、図１４に示されるように、挟込み式のものに変更されている。この場合、前記加圧用ばね部材３０は、側方から観た形状が、概略Ｕ字状となっており、概略長方形の形状を備える板状の基部３３、該基部３３の一側端に接続された湾曲した板状の湾曲部３４、及び、該湾曲部３４から前記基部３３の他側端に向けて延在する複数本の腕部３２を有する。該腕部３２の先端は、前記第１の実施の形態と同様に、接続端子ユニット２０の島部２３ａにおける内側接触部２６と反対側の面に当接するようになっている。そのため、前記腕部３２の数及びピッチは、前記島部２３ａの数及びピッチに対応する。
【００４７】
ここで、ケース部材１１の底板１８には、概略長方形の形状を備える開口が形成され、該開口に前記加圧用ばね部材３０の基部３３が嵌（は）め込まれて取付けられている。そして、前記基部３３の下面は、ケース部材１１の外側、すなわち、底板１８の下面側に露出し、該底板１８の下面とほぼ面一となっている。なお、前記基部３３は、前記底板１８に対して、接着剤等の任意の手段によって固定することができる。また、その他の点の構成及び動作については、前記第１の実施の形態と同様であるので説明を省略する。
【００４８】
このように、本実施の形態において、加圧用ばね部材３０が挟込み式のものになっているので、加圧用ばね部材３０のばね力を強くすることができる。そのため、より強い付勢力によって、内側接触部２６をカード４５の端子部材に向けて付勢することができる。
【００４９】
また、ケース部材１１の底板１８に形成された開口に加圧用ばね部材３０の基部３３が嵌め込まれるようになっているので、前記底板１８と蓋部材１２との間隔、すなわち、カード用アダプタ１０の厚さ方向の寸法を増加させることがない。そのため、カード用アダプタ１０を小型化することができる。また、加圧用ばね部材３０の腕部３２は、接続端子ユニット２０の島部２３ａにおける内側接触部２６と反対側の面に当接するようになっているので、内側接触部２６とは電気的に絶縁されている。そのため、底板１８の下面側に露出した加圧用ばね部材３０の基部３３が電気信号を伝送する部材等に接触しても、内側接触部２６を伝送される電気信号に影響を及ぼすことがない。
【００５０】
なお、底板１８の下面側に露出した加圧用ばね部材３０の基部３３を電子機器等の接地端子に接触させて、加圧用ばね部材３０を接地ラインの一部として使用することもできる。この場合、加圧用ばね部材３０の腕部３２が当接する接続端子ユニット２０の島部２３ａの面に接地パッド等の接地用の接触部を形成することによって、容易に接続端子ユニット２０の接地ラインに接続させることができる。
【００５１】
また、カード用アダプタ１０の厚さ方向の寸法に余裕がある場合、すなわち、底板１８と蓋部材１２との間隔を十分に広くすることができる場合には、前記開口を底板１８に形成することなく、該底板１８の上面に基部３３を取付けるようにしてもよい。
【００５２】
なお、本発明は前記実施の形態に限定されるものではなく、本発明の趣旨に基づいて種々変形させることが可能であり、それらを本発明の範囲から排除するものではない。
【図面の簡単な説明】
【００５３】
【図１】本発明の第１の実施の形態におけるカード用アダプタの要部斜視断面図である。
【図２】本発明の第１の実施の形態におけるカード用アダプタを示す斜視図である。
【図３】本発明の第１の実施の形態におけるカード用アダプタの本体部を示す斜視図である。
【図４】本発明の第１の実施の形態におけるカード用アダプタの蓋部材を示す斜視図である。
【図５】本発明の第１の実施の形態におけるカード用アダプタの接続端子ユニットを示す斜視図である。
【図６】本発明の第１の実施の形態におけるカード用アダプタの接続端子ユニットの構成を説明する概念図である。
【図７】本発明の第１の実施の形態におけるカード用アダプタの加圧用ばね部材を示す斜視図である。
【図８】本発明の第１の実施の形態におけるカード用アダプタのカードロック用ばね部材を示す斜視図である。
【図９】本発明の第１の実施の形態におけるカード用アダプタを組立てる方法を示す第１の図である。
【図１０】本発明の第１の実施の形態におけるカード用アダプタを組立てる方法を示す第２の図である。
【図１１】本発明の第１の実施の形態におけるカード用アダプタを組立てる方法を示す第３の図である。
【図１２】本発明の第１の実施の形態におけるカード用アダプタのカードを挿入していない状態を示す縦断面図である。
【図１３】本発明の第１の実施の形態におけるカード用アダプタのカードを挿入した状態を示す縦断面図である。
【図１４】本発明の第２の実施の形態におけるカード用アダプタの要部斜視断面図である。
【符号の説明】
【００５４】
１０    カード用アダプタ
１１    ケース部材
２０    接続端子ユニット
２３ａ    島部
２５    外側接触部
２６    内側接触部
２７    接続配線
３０    加圧用ばね部材
３１、３３    基部
３２    腕部
４５    カード
【図１】
2006147209.tif 000003
【図２】
2006147209.tif 000004
【図３】
2006147209.tif 000005
【図４】
2006147209.tif 000006
【図５】
2006147209.tif 000007
【図６】
2006147209.tif 000008
【図７】
2006147209.tif 000009
【図８】
2006147209.tif 000010
【図９】
2006147209.tif 000011
【図１０】
2006147209.tif 000012
【図１１】
2006147209.tif 000013
【図１２】
2006147209.tif 000014
【図１３】
2006147209.tif 000015
【図１４】
2006147209.tif 000016